(57)【要約】【課題】操作性が向上するとともに、設置場所や使用者の姿勢に拘わらず使用でき、かつ設置スペースが少なくて済むパソコンの取付け構造を提供すること。【解決手段】接続ケーブル２９を介してディスプレイ装置１６に接続されたパソコン本体１５を机１１の下方に設置し、机１１の上面部１３に、屈曲可能なアームパイプ２２ａ，２２ｂを備えた取付部材２０を介して位置変更可能な状態でディスプレイ装置１６を取り付けた。また、ディスプレイ装置１６に、電源スイッチ１８ｂ、フレキシブルディスク等のメディアに対してデータを入力または出力するためのデータ入出力ユニット１７およびキーボード等の機器に接続するためのコネクタ１８ａを備えたアクセスユニット１８を取り付けた。さらに、データ入出力ユニット１７およびアクセスユニット１８をディスプレイ装置１６に対して着脱可能にした。【選択図】  図１
2004326697.tif 000002
【特許請求の範囲】
【請求項１】
パソコン本体と、前記パソコン本体に接続ケーブルを介して接続されたディスプレイ装置とを備えたデスクトップ型のパソコンの取付け構造であって、
前記パソコン本体とパソコン操作のために必要な操作部材とを別体で構成し、前記パソコン本体を所定箇所に設置するとともに、前記ディスプレイ装置を屈曲可能なアームを介して位置変更可能な状態で基台に取り付け、前記操作部材をディスプレイ装置の近傍に取り付けたことを特徴とするパソコンの取付け構造。
【請求項２】
前記操作部材を、電源スイッチ、外部記録メディアに対してデータを入力または出力するためのデータ入出力ユニットおよび外部機器に接続するための接続部を備えたアクセスユニットのうちの少なくとも一つで構成した請求項１に記載のパソコンの取付け構造。
【請求項３】
前記操作部材を前記ディスプレイ装置に対して着脱可能にした請求項１または２に記載のパソコンの取付け構造。
【請求項４】
前記基台を机で構成し、前記ディスプレイ装置を前記操作部材とともに、前記机の上面よりも上方に位置決め可能にした請求項１ないし３のうちのいずれか一つに記載のパソコンの取付け構造。
【請求項５】
前記基台をスタンドで構成した請求項１ないし３のうちのいずれか一つに記載のパソコンの取付け構造。
【請求項６】
前記基台をベッドで構成した請求項１ないし３のうちのいずれか一つに記載のパソコンの取付け構造。
【発明の詳細な説明】
【０００１】
【発明の属する技術分野】
本発明は、種々の場所での使用に対応可能なパソコンの取付け構造に関する。
【０００２】
【従来の技術】
従来から、デスクトップ型パソコンを、職場で使用する場合には、机の上面に、パソコン本体、ディスプレイ装置、キーボードおよびマウスを並べて置いて使用している。また、病室のベッド等で横になったままの姿勢でパソコンを使用する場合もあり、このために、ベッドで寝た状態の使用者の視界に入る部分にディスプレイ装置を取り付けて使用できるようにしたシステムパソコンもある（例えば、特許文献１参照）。
【０００３】
このシステムパソコンでは、パソコン本体をベッドにおけるマットを支持する水平枠の下面に取り付け、ディスプレイ装置をアームを介して、マットの枕頭部に取り付けている。この場合、ディスプレイ装置の画面が、ベッドに寝た状態の使用者の頭部側に向くようにアームの調節が行われる。そして、使用者は寝たままの姿勢で、パソコン本体に接続ケーブルを介して接続された遠隔操作子を操作することにより、システムパソコンの使用ができる。
【０００４】
【特許文献１】
特開平１１−１６７４５９号公報
【０００５】
【発明が解決しようとする課題】
しかしながら、前述した従来のパソコンのうち、職場で使用するパソコンの場合には、机の上面が狭くなって他の書類等を置くスペースが無くなり、机が使用しづらくなるという問題がある。また、ベッドで寝た姿勢で使用するシステムパソコンの場合には、フレキシブルディスクやコンパクトディスク等を使用する場合には、その都度起き上がってベッドの下部に設置されたパソコン本体の操作をしなければならず操作が煩わしくなるという問題を有している。
【０００６】
【発明の概要】
本発明は、上記問題に対処するためになされたもので、その目的は、操作性が向上するとともに、設置場所や使用者の姿勢に拘わらず使用でき、かつ設置スペースが少なくて済むパソコンの取付け構造を提供することである。
【０００７】
上記の目的を達成するため、本発明に係るパソコンの取付け構造の構成上の特徴は、パソコン本体と、パソコン本体に接続ケーブルを介して接続されたディスプレイ装置とを備えたデスクトップ型のパソコンの取付け構造であって、パソコン本体とパソコン操作のために必要な操作部材とを別体で構成し、パソコン本体を所定箇所に設置するとともに、ディスプレイ装置を屈曲可能なアームを介して位置変更可能な状態で基台に取り付け、操作部材をディスプレイ装置の近傍に取り付けたことにある。
【０００８】
前記のように構成した本発明のパソコンの取付け構造では、使用者がパソコンを使用するために操作する操作部材が、パソコン本体と別体からなるユニットで構成され、ディスプレイ装置の近傍に取り付けられている。したがって、使用者は、パソコンを使用するための操作を、すべてディスプレイ装置の近傍で行うことができる。また、ディスプレイ装置はアームを介して位置を変更可能な状態で基台に取り付けられているため、ディスプレイ装置の近傍に取り付けられた操作部材をディスプレイ装置とともに使用者が操作し易い位置に設置することができ操作性が向上する。
【０００９】
また、接続ケーブルを介してディスプレイ装置に接続されたパソコン本体は、所定箇所に設置される。この場合の所定箇所は、任意に選択できる場所であり、パソコン本体は邪魔にならない場所に設置することが好ましい。また、パソコン本体の設置場所は、ディスプレイ装置や操作部材から離れた場所にすることもでき、これによって、デッドスペース等の有効な利用が可能になる。
【００１０】
また、本発明にかかるパソコンの取付け構造の他の構成上の特徴は、操作部材を、電源スイッチ、外部記録メディアに対してデータを入力または出力するためのデータ入出力ユニットおよび外部機器に接続するための接続部を備えたアクセスユニットのうちの少なくとも一つで構成したことにある。
【００１１】
この場合のデータ入出力ユニットは、フレキシブルディスク（ＦＤ）、コンパクトディスク（ＣＤ）、デジタルバーサタイルディスク（ＤＶＤ）、ＩＣカード、コンパクトフラッシュ（登録商標）等の記録メディアに対してデータを入出力するための駆動装置であり、ドライブユニットやカードリーダーで構成される。アクセスユニットは、キーボードやヘッドフォン等の外部周辺機器に接続するためのコネクタやワイヤレスポート等を備えた装置で構成される。
【００１２】
電源スイッチ、データ入出力ユニットおよびアクセスユニットは適宜必要に応じて選択して設けられる。このため、電源スイッチ、データ入出力ユニットおよびアクセスユニットをディスプレイ装置の近傍に取り付けた場合、使用者は、パソコンのオンオフ操作、記録メディアのデータ入出力ユニットへの出し入れ、外部機器との接続等、パソコンを使用するための操作を、すべてディスプレイ装置の近傍で行うことができる。また、電源スイッチ、データ入出力ユニットおよびアクセスユニットの中から必要なものを選択してディスプレイ装置の近傍に取り付けることもできる。
【００１３】
また、本発明にかかるパソコンの取付け構造のさらに他の構成上の特徴は、操作部材をディスプレイ装置に対して着脱可能にしたことにある。これによると、使用する記録メディアやキーボード、ヘッドフォン等の外部機器に応じてデータ入出力ユニットやアクセスユニットを取り替えることができ、使用の多様性が増すようになる。また、操作部材をディスプレイ装置に取り付けて使用したり、ディスプレイ装置から離して、机上等に置いて使用したりすることができる。操作部材を構成する電源スイッチ、データ入出力ユニットおよびアクセスユニットは、一体からなるユニットで構成してもよく、それぞれを別体で構成してもよい。また、電源スイッチだけをディスプレイ装置に取り付け、他の装置はディスプレイ装置から離して取り付けることもできる。
【００１４】
また、本発明にかかるパソコンの取付け構造のさらに他の構成上の特徴は、基台を机で構成し、ディスプレイ装置を操作部材とともに、机の上面よりも上方に位置決め可能にしたことにある。
【００１５】
このように構成したパソコンの取付け構造では、例えば、操作部材をディスプレイ装置に取り付けた場合、パソコン本体は、机の下部側における床面上の邪魔にならない部分に設置し、ディスプレイ装置は、操作部材とともに、机の上面から離れた上方に設置することができる。これによると、机上に置くものは、必要に応じて接続されるキーボードやマウスだけで済むため、机上面の大部分のスペースが書類等を置くために使用できる。
【００１６】
また、ディスプレイ装置としてタッチパネルを備えたものを使用すると、キーボードやマウスも不要になって、パソコン設置のためのスペースが不要になり机の上面のさらに有効な利用が可能になる。また、操作部材をディスプレイ装置から外した場合には、データ入出力ユニットやアクセスユニット等の操作部材は机上等に置く。なお、この場合の机にはテーブルも含むものとする。
【００１７】
また、本発明にかかるパソコンの取付け構造のさらに他の構成上の特徴は、基台をスタンドで構成したことにある。この場合のスタンドとしては、マイクを取り付けるためのスタンドやカメラを取り付けるための三脚などのような種々の形状のものが使用できる。また、このスタンドの下端部には車輪等が設けられて移動可能になっていることが好ましい。これによると、例えば、居間などで寝転びながらディスプレイ装置を任意の場所に移動させてパソコンを使用することが可能になる。この場合も、パソコン本体は、部屋の隅などの邪魔にならない場所に設置することが好ましい。
【００１８】
また、本発明にかかるパソコンの取付け構造のさらに他の構成上の特徴は、基台をベッドで構成したことにある。これによると、就寝前にベッドで横になってパソコンを使用したり、病院での入院患者が寝たままの姿勢でパソコンを使用したりすることができる。
【００１９】
このように、本発明にかかるパソコンの取付け構造によると、パソコンの操作性が向上するとともに、パソコンを使用する場所や使用者の姿勢に関係なく、パソコンの操作ができるようになる。また、パソコンの使用方法としては、仕事に使用する文書、図面、デザイン等の作成の他、映画鑑賞、読書、ゲーム等をしたり、インターネットを利用したりする等の種々の方法がある。
【００２０】
【発明の実施の形態】
以下、本発明の一実施形態を図面を用いて説明する。図１は、本発明によるパソコンの取付け構造１０を示している。このパソコンの取付け構造１０は、本発明の基台としての机１１と、机１１に設置されたパソコン本体１５およびディスプレイ装置１６と、ディスプレイ装置１６の下端部に取り付けられたデータ入出力ユニット１７およびアクセスユニット１８とを備えている。机１１は、４本の脚部１２の上端部に四角板状の上面部１３を取り付けて構成されており、上面部１３の下方における脚部１２の高さ方向の略中央部には平面視コ字状の棚部１４が設けられている。この棚部１４は、切り欠かれた部分を前側に位置させ、物を置くことのできる部分を後側に位置させて脚部１２に取り付けられている。
【００２１】
パソコン本体１５は、ＣＰＵ、メモリ、ハードディスクドライブ等を備えた箱体で構成されており、棚部１４上の一端側に設置されている。また、ディスプレイ装置１６は、液晶等のフラットパネルディスプレイで構成されており、アーム式の取付部材２０によって机１１の上面部１３に取り付けられている。取付部材２０は、図２に示したように、上面部１３上に設置された回転支持部２１と、回転支持部２１から上方に向かって平行に延びる２本のアームパイプ２２ａ，２２ｂと、アームパイプ２２ａ，２２ｂの上端部に取り付けられた上端支持部２３とを備えている。
【００２２】
アームパイプ２２ａ，２２ｂは、それぞれ下端部を中心として上下方向に回転可能な状態で回転支持部２１に連結されており、上端支持部２３は、アームパイプ２２ａ，２２ｂの回転による上端部の移動に従って、垂直面内で回転移動する。すなわち、アームパイプ２２ａ，２２ｂは常時平行状態を維持し、アームパイプ２２ａ，２２ｂの両下端部間を結ぶ線と、両上端部間を結ぶ線とは常時平行状態を維持し４つの辺で構成される四角形の形状を変化させながら上端支持部２３は円弧を描くように移動する。
【００２３】
回転支持部２１は、縦断面形状が略コ字状に形成された固定台２４によって上面部１３に取り付けられており、固定台２４の上面部２４ａに対して垂直軸回りに回転可能になっている。また、回転支持部２１と固定部２４との間には、締め付けねじ（図示せず）が設けられており、このねじを締めることにより回転支持部２１を固定できるようになっている。固定部２４は下面部２４ｂに設けられたねじ穴（図示せず）にねじ２４ｃを螺合させ、ねじ２４ｃの上端に形成された平面状の頭部と上面部２４ａとで上面部１３を挟むことにより上面部１３に固定されている。
【００２４】
上端支持部２３の上端には、支持軸２３ａが形成されており、この支持軸２３ａに回転連結部２５が組み付けられている。回転連結部２５は、支持軸２３ａの外周面に回転可能に取り付けられたパイプ状の回転部２５ａと、回転部２５ａの側面から延びて、ディスプレイ装置１６の裏面に設けられた取付片１６ａを両側から挟んで保持する一対の保持片２５ｂ（一方の保持片しか図示せず）とを備えている。そして、一対の保持片２５ｂに設けられたねじ穴および取付片１６ａに設けられた挿通穴（図示せず）にねじ２５ｃ挿通させてねじ穴と螺合させることにより、ディスプレイ装置１６を支持している。
【００２５】
ディスプレイ装置１６は、ねじ２５ｃを緩めて上下に移動させることにより画面の向きを上下方向に調節でき、ねじ２５ｃを締めることによりその状態に維持できる。また、ディスプレイ装置１６は、左右方向に移動させることにより、アームパイプ２２ａ，２２ｂ等とともに、固定部２４に対して回転させたり、または、回転連結部２５とともに、支持軸２３ａに対して回転させたりすることができる。大きく移動させる場合には、アームパイプ２２ａ，２２ｂ等とともに回転させ、微調整を行う場合には、回転連結部２５とともに回転させる。
【００２６】
また、ディスプレイ装置１６の裏面下端部には、図３に示した２個のＬ形の連結片２６ａ，２６ｂが取り付けられており、この連結片２６ａ，２６ｂの下端部に、それぞれデータ入出力ユニット１７およびアクセスユニット１８を固定するための固定枠２７，２８が取り付けられている。固定枠２７，２８は、ともに前後が開放されているとともに下面の中央部が開放された枠状体で構成され、側部に設けられたねじ穴（図示せず）にねじ２７ａ，２８ａが取り付けられている。データ入出力ユニット１７は、固定枠２７内に挿入しねじ２７ａを締めることにより固定枠２７に取り付けられ、アクセスユニット１８は、固定枠２８内に挿入しねじ２８ａを締めることにより固定枠２８に取り付けられる。
【００２７】
データ入出力ユニット１７としては、フレキシブルディスク、コンパクトディスク、デジタルバーサタイルディスク等に対応するドライブユニットやＩＣカードやコンパクトフラッシュ（登録商標）等に対応するカードリーダー等の複数のものが備わっており、使用目的に応じて取替えが可能になっている。アクセスユニット１８は、キーボードやヘッドフォン等の外部の機器（図示せず）に接続するための端子やＵＳＢポート等からなる複数のコネクタ１８ａおよび電源スイッチ１８ｂを備えている。そして、ディスプレイ装置１６、データ入出力ユニット１７およびアクセスユニット１８は、接続ケーブル２９を介してパソコン本体１５に接続され、パソコン本体１５を介して互いに交信できるようになっている。
【００２８】
以上のように取り付けられたパソコンを使用する場合には、例えば、フレキシブルディスク用のデータ入出力ユニット１７を固定枠２７に取り付けるとともに、アクセスユニット１８を固定枠２８に取り付ける。そして、回転支持部２１およびアームパイプ２２ａ，２２ｂを操作して、ディスプレイ装置１６を使用し易い位置に移動させる。ついで、ディスプレイ装置１６の左右方向および上下方向の向きを調節して、使用者の正面にディスプレイ装置１６の画面が向くようにする。
【００２９】
つぎに、アクセスユニット１８のキーボードのコネクタ１８ａにキーボードの端子を差し込み、電源スイッチ１８ｂをオン状態にして、各装置を作動可能な状態にする。そして、必要に応じてデータ入出力ユニット１７にフレキシブルディスクを挿入して、記録されているデータをディスプレイ装置１６の画面に映し出す。また、キー入力により文書等を作成する。作成した文書等は、フレキシブルディスクに記録してもよいし、パソコン本体１５のハードディスクに記録してもよい。このパソコンの操作の際に、必要な書物や書類等があれば、机１１の上面部１３上に広げて使用する。
【００３０】
また、コンパクトディスクを使用する場合には、データ入出力ユニット１７をコンパクトディスク用のものに取り替えて、それに応じた操作を行う。そして、パソコンの使用が終わり、他のデスクワーク等をする場合には、キーボードをアクセスユニット１８から外すとともに、取付部材２０を操作することにより、ディスプレイ装置１６等を回転させる等して上面部１３上から離れた位置に移動させておく。これによって、机１１の上面部１３すべてをそのデスクワークのために使用することができる。
【００３１】
このように、本実施形態によるパソコンの取付け構造１０では、データ入出力ユニット１７、アクセスユニット１８および電源スイッチ１８ｂが、ディスプレイ装置１６またはその近傍に取り付けられているため、パソコンを使用するための操作を、すべてディスプレイ装置１６の近傍で行うことができる。これによって、パソコン本体１５を、机１１の上面部１３に置く必要がなくなり、机１１の下などの邪魔にならず目立たない場所に置くことができる。この結果、上面部１３のスペースを有効的に使用することができるようになる。
【００３２】
また、ディスプレイ装置１６はアーム式の取付部材２０を介して位置変更が可能な状態で机１１に取り付けられているため、使用者が操作し易い位置に設置することができ使い勝手がよくなる。また、パソコンを使用しない場合には、ディスプレイ装置１６を回転させる等して邪魔にならない位置に移動させることができる。
【００３３】
図４は、本発明の他の実施形態に係るパソコンの取付け構造３０を示している。このパソコンの取付け構造３０は、居間に設置されたものであり、基台が机１１に代えてスタンド３１で構成されている。そして、スタンド３１の上端部とディスプレイ装置３６の裏面との間をアームパイプ３７で連結している。スタンド３１は、四隅に車輪３２が取り付けられた平面状の台部３１ａと、台部３１ａの中央部から上方に延びる垂直支持部３１ｂとで構成されている。アームパイプ３７は一端をスタンド３１の上端部に回転可能な状態で連結し、他端をディスプレイ装置３６の裏面に取り付けられた取付片（図示せず）に回転可能な状態で連結されている。
【００３４】
また、アームパイプ３７の両端部と、スタンド３１およびディスプレイ装置３６との連結部にはそれぞれ締め付けねじ（図示せず）が設けられて、ディスプレイ装置３６を任意の向きにして固定できるようになっている。パソコン本体（図示せず）は、部屋の隅に設置されている。このパソコンの取付け構造３０におけるそれ以外の部分の構成については、前述した実施形態によるパソコンの取付け構造１０と同一である。したがって、同一部分に同一符号を記している。
【００３５】
この構成において、例えば、デジタルバーサタイルディスクを用いて映画鑑賞をする場合には、デジタルバーサタイルディスク用のデータ入出力ユニット１７を固定枠２７に取り付けるとともに、アクセスユニット１８のヘッドフォンのコネクタ１８ａにヘッドフォンの端子を差し込み、電源スイッチ１８ｂをオン状態にする。つぎに、データ入出力ユニット１７に所定の映画が記録されたデジタルバーサタイルディスクを挿入して、映画をディスプレイ装置３６の画面に映し出す。そして、画面の映像を観賞するとともに、ヘッドフォンから流れる音声を聴く。この場合、使用者は、寝転ぶ等自由な姿勢で映画鑑賞を楽しむことができる。この場合、ディスプレイ装置３６にスピーカを取り付けておくこともできる。これによると、ヘッドフォンなしでスピーカからの音声を直接聴くことができる。
【００３６】
図５は、本発明のさらに他の実施形態に係るパソコンの取付け構造４０を示している。このパソコンの取付け構造４０は、病院における病室に設置されたものであり、基台がベッド４１で構成されている。そして、ベッド４１の頭部側の上端部とディスプレイ装置４６の裏面との間を２本のアームパイプ４７，４８で連結している。ベッド４１は、前後に配置された門型の脚部４２ａ，４２ｂと水平枠４３とで台部が形成され、水平枠４３の上面にマット４４を載せて構成されている。
【００３７】
アームパイプ４７は、長いパイプで構成され、その一端に、脚部４２ａの上端の水平部に固定される把持部４７ａが形成されている。そして、把持部４７ａを前記水平部に取り付けて締め付けねじで締め付けることにより、アームパイプ４７は任意の角度を維持して固定される。また、アームパイプ４８は、アームパイプ４７の他端に一端が回転可能な状態で連結された短いパイプで構成され、他端がディスプレイ装置４６の裏面に回転可能な状態で連結されている。
【００３８】
また、アームパイプ４７と、アームパイプ４８の連結部およびアームパイプ４８とディスプレイ装置４６との連結部にはそれぞれ締め付けねじ（図示せず）が設けられて、ディスプレイ装置４６を任意の位置に固定できるようになっている。パソコン本体４５は、ベッド４１の下方における床上に設置されている。このパソコンの取付け構造４０におけるそれ以外の部分の構成については、前述した実施形態によるパソコンの取付け構造１０，３０と同一である。したがって、同一部分に同一符号を記している。
【００３９】
この構成において、例えば、コンパクトディスクに記録されたゲームをする場合には、コンパクトディスク用のデータ入出力ユニット１７を固定枠２７に取り付けるとともに、アクセスユニット１８のマウスのコネクタ１８ａにマウスの端子を差し込み、電源スイッチ１８ｂをオン状態にする。つぎに、データ入出力ユニット１７に所定のゲームが記録されたコンパクトディスクを挿入して、ゲームの画像をディスプレイ装置４６の画面に映し出す。
【００４０】
そして、画面の映像を見ながらマウスを操作することによりゲームを行う。この場合、使用者（患者）は、仰向けになって寝たままの姿勢でゲームを楽しむことができる。なお、この場合、ディスプレイ装置４６は、ベッド４１でなく、ベッド４１の横に配置されるサイドテーブル（図示せず）に取り付けてもよい。これによると、パソコンを使用しない場合には、ディスプレイ装置４６をベッド４１から離れた位置に移動させることができる。
【００４１】
図６は、本発明のさらに他の実施形態に係るパソコンの取付け構造５０を示している。このパソコンの取付け構造５０は、図１に示したパソコンの取付け構造１０と同様、机１１に設置されている。そして、ディスプレイ装置５６には、固定枠２７，２８が設けられてなく、電源スイッチ、データ入出力ユニットおよびアクセスユニットを一体からなる操作部材５１に含ませている。
【００４２】
操作部材５１は、パソコン本体５５およびディスプレイ装置５６と別体からなるユニットで構成されている。そして、操作部材５１の表面部に、電源スイッチ５２、表示ランプ５３、記録メディアを出し入れするための挿入口５４、キーボードやマウス等を接続するためのコネクタ５５およびヘッドフォンなどを接続するためのコネクタ５６が設けられている。表示ランプ５３は、ＬＥＤからなっており、電源スイッチ５２がオン状態にあるときに点灯する。
【００４３】
操作部材５１は接続ケーブル５７によってディスプレイ装置５６に接続されており、ディスプレイ装置５６を介してパソコン本体５５と交信可能になっている。このパソコンの取付け構造５０におけるそれ以外の部分の構成については、前述した実施形態によるパソコンの取付け構造１０と同一である。したがって、同一部分に同一符号を記している。
【００４４】
このように構成したため、机１１の上面に置いた操作部材５１を操作したり、操作部材５１に他の装置を接続したりして、全ての操作を操作部材５１またはその近傍で行うことができる。この場合、操作部材５１が一体のユニットで構成されているため装置がコンパクトになる。また、ディスプレイ装置５６を使用者から少し離れた位置に設置することもでき、この場合でもパソコンの操作性が低下することはない。このパソコンの取付け構造５０のそれ以外の作用効果については、前述した各実施形態と同様である。
【００４５】
また、パソコンの取付け構造５０が備えるディスプレイ装置５６に、操作部材５１を固定するための固定枠を設けて、この固定枠によって、操作部材５１をディスプレイ装置５６に取り付けることもできる。この場合、操作部材５１をディスプレイ装置５６に取り付けたままの状態で使用してもよいし、使用の際には、操作部材５１をディスプレイ装置５６から取り外し、不使用の際に、ディスプレイ装置５６に取り付けることもできる。これによるとパソコンの使用の態様に多様性が生じる。
【００４６】
また、本発明に係るパソコンの取付け構造は、前述した実施形態に限定するものでなく技術的範囲で適宜変更実施が可能である。例えば、アクセスユニット１８としては、必要なコネクタ１８ａ等をすべて備えたもので構成し、ディスプレイ装置１６，３６，４６に固定することもできる。また、ディスプレイ装置１６，３６，４６，５６にタッチパネルを装着し、指で操作できるようにすることもできる。この場合、キーボードやマウスが不要になる。また、電源スイッチはパソコン本体に取り付けることもできる。さらに、本発明のパソコンの取付け構造によればパソコンの種々の使用方法が可能になる。
【図面の簡単な説明】
【図１】本発明の一実施形態によるパソコンの取付け構造を示す斜視図である。
【図２】図１に示したパソコンの取付け構造の要部を示す側面図である。
【図３】図１に示したパソコンの取付け構造の要部を示す正面図である。
【図４】他の実施形態によるパソコンの取付け構造を示す側面図である。
【図５】さらに他の実施形態によるパソコンの取付け構造を示す正面図である。
【図６】さらに他の実施形態によるパソコンの取付け構造を示す斜視図である。
【符号の説明】
１０，３０，４０，５０…パソコンの取付け構造、１１…机、１３…上面部、１５，５５…パソコン本体、１６，３６，４６，５６…ディスプレイ装置、１８ｂ，５２…電源スイッチ、１７…データ入出力ユニット、１８…アクセスユニット、１８ａ，５５，５６…コネクタ、２０…取付部材、２１…回転支持部、２２ａ，２２ｂ，３７，４７，４８…アームパイプ、２３…上端支持部、２４…固定台、２５…回転連結部、２７，２８…固定枠、２９…接続ケーブル、３１…スタンド、４１…ベッド、５１…操作部材、５４…挿入口。
【図１】
2004326697.tif 000003
【図２】
2004326697.tif 000004
【図３】
2004326697.tif 000005
【図４】
2004326697.tif 000006
【図５】
2004326697.tif 000007
【図６】
2004326697.tif 000008